(57)【特許請求の範囲】
【請求項１】
快適度検知手段により検知した対象室の検知快適度が、設定された目標快適度に近づくよう複数の空調用機器を連携制御する空調システムの表示装置であって、前記検知快適度の推移と前記目標快適度を表示する表示部を備え、前記空調システムは、前記複数の空調用機器を連携して自動制御する連携制御モードと前記複数の空調用機器を個別に操作する個別操作モードを備えたものであって、前記表示部が、画面上で操作されることにより前記連携制御モードと個別操作モードを切り替える操作部を表示するものであることを特徴とする表示装置。
【請求項２】
前記空調用機器がエネルギーを無駄に消費するロス運転がなされた場合にその旨を報知するロス運転報知手段を備えたことを特徴とする請求項１に記載の表示装置。
【請求項３】
前記空調用機器がエネルギー消費の小さいエコ運転がなされた場合にその旨を報知するエコ運転報知手段を備えたことを特徴とする請求項１又は請求項２に記載の表示装置。
【請求項４】
前記表示部が選択された過去の任意の時間帯における前記空調用機器の運転状況を表示するものであることを特徴とする請求項１乃至３のいずれか１項に記載の表示装置。
【発明の詳細な説明】
【技術分野】
【０００１】
本発明は空調システムに用いられる表示装置に関する。
【背景技術】
【０００２】
従来、例えば特許文献１のように対象室の複数の空調用機器を制御する空調システムが知られている。この空調システムでは、空調用機器として備えた室内機と床暖房装置を室温と床面温度が利用者にとって快適な温度になるように制御している。
【先行技術文献】
【特許文献】
【０００３】
【特許文献１】特開２００３−１２０９４５号公報
【発明の概要】
【発明が解決しようとする課題】
【０００４】
ところで、特許文献１の空調システムは、複数の空調用機器を制御した結果として、対象室における快適度（対象室の快適性の度合い）が推移するものであるが、この快適度の推移を利用者が明確に認識できない。このため、利用者は、適切な空調運転がなされているか、エネルギーが無駄に消費されていないか等の不安を感じる恐れがある。また、エネルギー消費を抑えた空調を行った場合等に利用者に充分な満足感を与えることができず、エネルギー消費を抑えたエコ運転を行う強い動機付けを与えることができなかった。
【０００５】
本発明は上記事情に鑑みてなされたものであって、複数の空調用機器を連携制御して空調が行われたときの快適度の推移を容易に認識できる空調システムを提供することを課題とする。
【課題を解決するための手段】
【０００６】
上記課題を解決するために本発明の表示装置は、快適度検知手段により検知した対象室の検知快適度が、設定された目標快適度に近づくよう複数の空調用機器を連携制御する空調システムの表示装置であって、前記検知快適度の推移と前記目標快適度を表示する表示部を備え、前記空調システムは、前記複数の空調用機器を連携して自動制御する連携制御モードと前記複数の空調用機器を個別に操作する個別操作モードを備えたものであって、前記表示部が、画面上で操作されることにより前記連携制御モードと個別操作モードを切り替える操作部を表示するものであることを特徴とする。
【０００７】
また、前記空調用機器がエネルギーを無駄に消費するロス運転がなされた場合にその旨を報知するロス運転報知手段を備えることが好ましい。
【０００８】
また、前記空調用機器がエネルギー消費の小さいエコ運転がなされた場合にその旨を報知するエコ運転報知手段を備えることが好ましい。
【００１０】
また、前記表示部が選択された過去の任意の時間帯における前記空調用機器の運転状況を表示するものであることが好ましい。
【発明の効果】
【００１１】
本発明にあっては、複数の空調用機器を連携制御して空調が行われたときの快適度の推移を容易に認識できる。
【図面の簡単な説明】
【００１２】
【図１】本実施形態の表示装置によって表示される、トップ画面、快適度グラフ画面、運転状況画面、及び運転履歴画面を示す説明図である。
【図２】表示装置が用いられる空調システムを示す説明図である。
【図３】空調システムのブロック図である。
【図４】送風手段の説明図であり、（ａ）は攪拌運転時の状態を示し、（ｂ）は室外空気取込運転時の状態を示している。
【図５】空調システムのフローである。
【図６】空調システムの制御に用いられる快適領域を床面温度と中間部室温との関係で示したグラフである。
【図７】表示装置のトップ画面と個別機器操作画面を示す説明図である。
【図８】（ａ）〜（ｃ）は表示装置によって表示される送風手段のアイコンを示す図である。
【図９】（ａ）〜（ｄ）はロス運転の判定を示すグラフである。
【発明を実施するための形態】
【００１３】
本発明の実施形態の表示装置２５が用いられる空調システムについて説明する。図２及び図３に示すように本実施形態の空調システムは、空調用機器として、建物の一室からなる対象室１の上部に設けられた温度調節手段２、対象室１の床暖房を行う床暖房手段３、及び対象室１内の空気を攪拌する送風手段４を備えている。加えて、表示装置２５、快適度検知手段、及び制御手段５を備え、このうち表示装置２５は空調システムの操作手段としても利用される。
【００１４】
図２に示すように温度調節手段２は対象室１の壁面の上端部に取り付けられたエアコンディショナーの室内機からなり、対象室１内に暖気を送る暖房運転と対象室１内に冷気を送る冷房運転を切り替えて行えるものである。床暖房手段３は対象室１の床に設けられた床暖房装置からなり、対象室１の床面を加温して床暖房を行う。
【００１５】
送風手段４は対象室１内の空気を循環させる機能と対象室１内に室外空気を取り込む機能を有するパネル装置４ａで構成されている。すなわち、送風手段４は室外空気取込手段を兼ねている。パネル装置４ａは建物の間柱間に設置されて対象室１の壁面の一部を構成する。
【００１６】
図４に示すようにパネル装置４ａの上下の端部には対象室１内に開口する上側通気口６と下側通気口７の夫々が設けられている。パネル装置４ａ内には、上側通気口６と下側通気口７を通じさせる通気路１６が形成されている。通気路１６には正逆両方向に回転駆動する循環用ファン１７が設けられている。通気路１６の下端部は外気取込口１８を介して屋外に通じ、通気路１６には外気取込口１８又は下側通気口７を選択的に閉塞する切替ダンパ１９が設けられている。
【００１７】
図４（ａ）のように切替ダンパ１９により外気取込口１８を閉塞した状態で、循環用ファン１７を回転駆動させることで、対象室１内の空気は循環する。すなわち、循環用ファン１７を一方向に回転させると、図２の矢印ａのように対象室１内の天井近傍の空気が上側通気口６から通気路１６内に吸い込まれると共にこの空気が矢印ｂに示すように下側通気口７を介して対象室１内の床近傍に送られる。以下、この運転を下向き送風運転という。逆に循環用ファン１７を下向き送風運転時とは逆方向に回転させることで、図２の矢印ｃのように対象室１内の床近傍の空気が下側通気口７から通気路１６内に吸い込まれると共にこの空気が矢印ｄに示すように上側通気口６を介して対象室１内の天井近傍に送られる。以下、この運転を上向き送風運転といい、この上向き送風運転と前記下向き送風運転をまとめて攪拌運転という。
【００１８】
また、図４（ｂ）のように切替ダンパ１９で下側通気口７を閉塞した状態で、循環用ファン１７を上向き送風運転時と同方向に回転駆動させると、室外空気（屋外空気）が外気取込口１８、通気路１６、及び上側通気口６を経て対象室１内に取り込まれる。以下、これを室外空気取込運転という。なお、本実施形態のパネル装置４ａは室外空気が上側通気口６から対象室１内に取り込まれるようにしたが、下側通気口７から対象室１内に取り込まれるようにしても構わない。
【００１９】
前記快適度検知手段は対象室１の空調環境の指標となる快適度を検知するために用いられる。この快適度は利用者の温冷感を示す指標となるＰＭＶ（Ｐｒｅｄｉｃｔｅｄ  Ｍｅａｎ  Ｖｏｔｅ：予測平均温冷感申告）値であり、室温の他、湿度、輻射温度、風速、着衣量、及び活動量をパラメーターとして決定される。
【００２０】
快適度検知手段は、図２及び図３に示す、室温検知手段８、天井面温度検知手段９、壁面温度検知手段１０、床面温度検知手段１１、人体検知手段１２、及び湿度検知手段１３で構成され、検知手段８〜１３で検知した情報に基づいて快適度が算出される。
【００２１】
図２のように対象室１には、室温検知手段８として、上部室温検知手段８ａ、中間部室温検知手段８ｂ、及び下部室温検知手段８ｃが設けられている。上部室温検知手段８ａ及び下部室温検知手段８ｃの夫々はパネル装置４ａの上端部と下端部に設けられた温度センサーからなり、対象室１内の上部と下部の夫々の室温を検知する。中間部室温検知手段８ｂは対象室１の壁面に設けられた表示装置２５が有する温度センサーからなる。表示装置２５は対象室１の中程の高さ位置に設けられ、中間部室温検知手段８ｂは上下方向において上部室温検知手段８ａと下部室温検知手段８ｃの間に配置されている。
【００２２】
天井面温度検知手段９は対象室１の天井に設けられ、対象室１の天井面の温度を検知する。壁面温度検知手段１０はパネル装置４ａに設けられ、パネル装置４ａの対象室１内に臨む面の温度を検知する。湿度検知手段１３は対象室１の壁に設けられて対象室１内の湿度を検知する湿度センサーからなる。人体検知手段１２は対象室１の壁の上部又は天井に設けられて対象室１内に居る人の動きを検知する人感センサーからなる。
【００２３】
また、本実施形態の暖房システムは、前記快適度検知手段を構成する検知手段８〜１３の他に、室外空気温度検知手段１４を備えている。室外空気温度検知手段１４は屋外やパネル装置４ａの外気取込口１８等の室外空気（屋外空気）の温度を検知可能な箇所に設けられた温度センサーからなる。
【００２４】
図３のように制御手段５は、温度調節手段用制御部２１、床暖房手段用制御部２２、送風手段用制御部２３、及びこれらを制御するコントローラー２４で構成されている。
【００２５】
温度調節手段用制御部２１、床暖房手段用制御部２２、及び送風手段用制御部２３は、制御対象である温度調節手段２、床暖房手段３、送風手段４の夫々の運転状況の情報をコントローラー２４に送信する。床暖房手段用制御部２２は床面温度検知手段１１と通信し、床面温度検知手段１１で検知した情報を集中制御部であるコントローラー２４に送信する。送風手段用制御部２３は、上部室温検知手段８ａ、下部室温検知手段８ｃ、壁面温度検知手段１０、湿度検知手段１３、室外空気温度検知手段１４の夫々と通信し、これら検知手段８ａ，８ｃ，１０，１３，１４で検知した情報をコントローラー２４に送信する。
【００２６】
コントローラー２４は表示装置２５に設けられ、温度調節手段用制御部２１、床暖房手段用制御部２２、及び送風手段用制御部２３を介して、温度調節手段２、床暖房手段３、送風手段４の夫々を制御する。また、コントローラー２４は、中間部室温検知手段８ｂ、天井面温度検知手段９、及び人体検知手段１２と通信し、これら検知手段８ｂ，９，１２で検知した情報を取得する。
【００２７】
表示装置２５はタッチパネルからなる表示部２６（図１参照）を備えた操作器からなり、表示部２６を対象室１内に向けた状態で対象室１の壁に設けられる。空調システム運転時には、表示部２６に、図１に示されるトップ画面２７、快適度グラフ画面２８、運転状況画面２９、運転履歴画面３０、及び図７に示される個別機器操作画面３１等の中から選択された任意の画面が表示される。
【００２８】
トップ画面２７には、図１のように操作部として画面切替部３６〜３９が並べて表示され、さらにこれら画面切替部３６〜３９に対応する位置にはモード切替部３２、入切部３３〜３５が表示される。
【００２９】
各画面切替部３６〜３９には、切替対象となる画面を容易に認識できるよう、「快適度推移」、「エアコン」、「床暖房」、「空気循環」の文字が夫々表示される。画面切替部３６を押し操作することで、快適度グラフ画面２８が切替表示される。画面切替部３７，３８，３９を押し操作することで、温度調節手段２用の個別機器操作画面３１（図７参照）、床暖房手段３用の個別機器操作画面（図示せず）、送風手段４用の個別機器操作画面（図示せず）の夫々が切替表示される。
【００３０】
モード切替部３２を押し操作することで、運転モードを連携制御モード又は個別操作モードのいずれかに選択的に切り替えられる。個別操作モードに切り替えた状態では、入切部３３〜３５を押し操作することで、温度調節手段２、床暖房手段３、送風手段４の夫々の運転・停止が切り替えられる。
【００３１】
各個別機器操作画面３１は、対応する温度調節手段２、床暖房手段３、送風手段４の夫々の個別操作モード時における制御方法を個別に設定するために用いられる。
【００３２】
図７のように、温度調節手段２用の個別機器操作画面３１には、操作部として冷房・暖房選択部４０、温度設定部４１、及び風量設定部４２が表示される。これらを押し操作することで、個別操作モードにおける、温度調節手段２の暖房運転と冷房運転の切替えや、温度設定、風量設定が行われる。また、図示は省略するが、床暖房手段３用の個別機器操作画面及び送風手段４用の個別機器操作画面では、床暖房手段３の暖房レベルの設定や、送風手段４の風量設定、攪拌運転と室外空気取込運転の切替え、上向き送風運転と下向き送風運転の切替えが夫々行われる。また、各個別機器操作画面３１には切替部５７が表示され、切替部５７を操作することでトップ画面２７が切替表示される。
【００３３】
図１に示す快適度グラフ画面２８には操作部として画面切替部４３〜４６が表示される。画面切替部４３〜４６を押し操作することで、トップ画面２７、設定画面（図示せず）、運転状況画面２９、及び運転履歴画面３０の夫々が切替表示される。このうち、設定画面では、連携制御モードの運転時における、対象室１の目標の快適度を設定することができる。以下、この快適度を設定快適度という。
【００３４】
運転状況画面２９及び運転履歴画面３０の夫々には、操作部として画面切替部７５，７６が表示され、これら画面切替部７５，７６を押し操作することで、快適度グラフ画面２８が切替表示される。
【００３５】
連携制御モードでの運転を行うには、前記設定画面にて設定快適度を設定し且つモード切替部３２を操作して連携制御モードに切り替える。これによって、コントローラー２４により、温度調節手段２、床暖房手段３、及び送風手段４を連携制御して行う以下の連携制御運転が実行される。
【００３６】
図５に示すように連携制御運転時には設定快適度に基づいて目標快適度が設定される（Ｓ１）。目標快適度の設定にあたっては、まず人体検知手段１２で検知した情報から対象室１内に居る人の活動量が多いか否かが判定される。そして、肯定されると設定快適度から所定ＰＭＶ値（例えば０．５）を差し引いた値が目標快適度として設定され、否定されると設定快適度がそのまま目標快適度として設定される。なお、この目標快適度の設定は所定時間毎に行われるものであるが、連携制御運転開始時にのみ設定されるものであってもよい。
【００３７】
連携制御運転時には、所定時間（例えば５分）毎に、環境情報の取得（Ｓ２）、これら取得データに基づく判定（Ｓ３，Ｓ４）、これら判定に基づく機器の制御（Ｓ５，Ｓ６）がなされる。
【００３８】
Ｓ２では、検知手段８ａ〜８ｃ，９〜１４の検知により環境データが取得される。Ｓ３では、Ｓ２で取得した環境データと、温度調節手段２と送風手段４の運転状況、及び日付情報に基づいて現在の快適度（ＰＭＶ値）が算出される。
【００３９】
ここで、中間部室温検知手段８ｂ、人体検知手段１２、及び湿度検知手段１３により取得した情報は室温、活動量、湿度の夫々の指標となり、天井面温度検知手段９、壁面温度検知手段１０、及び床面温度検知手段１１で検知した情報は輻射温度の指標となる。また、温度調節手段２と送風手段４の運転状況の情報は風速の指標となり、日付情報は着衣量の指標となる。従って、これら情報に基づいて、室温、湿度、輻射温度、風速、着衣量、及び活動量をパラメーターとしたＰＭＶ値からなる現在の快適度を算出することができる。以下、この算出した快適度を検知快適度という。
【００４０】
Ｓ４では、Ｓ１で得た目標快適度と、Ｓ２で取得した環境データ、及びＳ３で得た検知快適度に基づいて、表１に示す以下の判定（１）〜（１１）を行う。
【００４１】
【表１】
0005502619.tif 000002
【００４２】
なお、表１の判定（６）、（７）に記載された快適領域とは図６のハッチングで示したエリアである。また、判定（８）で用いられる目標床温は表示装置２５により予め設定され、例えば２５℃に設定される。また、判定（９）で用いられる目標室温は以下の表２により決定される。
【００４３】
【表２】
0005502619.tif 000003
【００４４】
Ｓ５では温度調節手段２、床暖房手段３及び送風手段４の制御方法が決定され、これに基づいてＳ６では温度調節手段２、床暖房手段３、及び送風手段４が制御される。
【００４５】
具体的には、判定（１）〜（１１）の全てが否定された場合、温度調節手段２及び床暖房手段３は前回判定後の運転状態で維持される。また、送風手段４は判定（５），（９）で肯定される場合を除き停止される。
【００４６】
また、判定（１）〜（１１）が肯定された場合は、肯定された判定に応じて表１の制御方法の欄に記載した制御がなされる。なお、判定（１）〜（１１）のうち、肯定する判定が複数ある場合は、予め設定された順序に従って、肯定した各判定に応じた制御方法の変更が行われ、最終的に変更された制御方法により温度調節手段２、床暖房手段３、送風手段４が制御される。
【００４７】
このように本実施形態の空調システムでは、判定（１）〜（１１）に基づく制御により、温度調節手段２及び床暖房手段３に送風手段４を加えた三者を連携制御して検知快適度を目標快適度に近づけることができる。
【００４８】
また、図５のＳ６では表示装置２５の表示部２６で表示される内容が更新されるようになっている。以下、表示部２６で表示される画面について詳述する。
【００４９】
図１及び図７のようにトップ画面２７、快適度グラフ画面２８、運転状況画面２９、運転履歴画面３０、及び個別機器操作画面３１の夫々には、その画面名称５９と現在日時６０が表示される。
【００５０】
トップ画面２７のモード切替部３２と入切部３３〜３５の夫々には、「切／入」という文字と、入切表示４８〜５１が表示される。各入切表示４８〜５１は点灯表示の有無により、連携制御モードや機器の入切状態を認識させる。すなわち、モード切替部３２の入切表示４８を見ることで、現在の運転モードが連携制御モード又は個別操作モードのいずれであるかを認識できる。また、入切部３３の入切表示４９、入切部３４の入切表示５０、入切部３５の入切表示５１を見ることで、温度調節手段２、床暖房手段３、送風手段４の夫々が運転状態又は停止状態のいずれの状態にあるかを認識できる。
【００５１】
画面切替部３７〜３９には、個別操作モード運転時における温度調節手段２、床暖房手段３、送風手段４の夫々の設定を文字と点灯表示の数により簡易的に表す簡易表示５３〜５５が表示される。
【００５２】
快適度グラフ画面２８には、検知快適度の推移（図１中ｅ）と目標快適度（図１中ｆ）の推移を表す快適度グラフ５６が表示される。快適度グラフ５６は、横軸を時刻、縦軸を快適度として、運転当日の０時〜２４時までの範囲における現在までの検知快適度の推移と目標快適度の推移を折れ線グラフで表す。前記検知快適度の推移を示す線と目標快適度の推移を示す線は、快適度グラフ５６において異なる色で表示される。なお、検知快適度の推移と目標快適度の推移は、所定時間前から現在時刻までの範囲を表示するものであってもよく、さらに前記所定時間が表示装置２５を操作することによって変更できるようにしてもよい。
【００５３】
快適度グラフ５６では、エネルギーを無駄に消費するロス運転と、エネルギー消費の小さいエコ運転がなされた場合に、これらロス運転とエコ運転が通常運転と区別して表示されるようになっている。
【００５４】
ロス運転の判定は、コントローラー２４によって以下の表３の条件（１）〜（３）のいずれかを一つでも満たした場合になされる。
【００５５】
【表３】
0005502619.tif 000004
【００５６】
条件（１）は、温度調節手段２が冷房運転され、且つ検知快適度が目標快適度より高く、且つ図９（ａ）に示すように所定時間ｔ１内における検知快適度の変化が基準勾配値よりも大きいことである。表３ではｔ１＝１５（分）に設定されている。
【００５７】
条件（２）は、温度調節手段２が暖房運転され、且つ検知快適度が目標快適度より低く、且つ図９（ｂ）に示すように所定時間ｔ２内における検知快適度の変化が基準勾配値よりも小さいことである。表３ではｔ２＝１５（分）に設定されている。
【００５８】
条件（３）は、温度調節手段２の冷房運転を終えてから所定時間ｔ３以内であり、且つ図９（ｃ）に示すように検知快適度の上昇が一定勾配以上となることである。表３ではｔ３＝３０（分）に設定されている。
【００５９】
条件（４）は、温度調節手段２の暖房運転を終えてから所定時間ｔ４以内であり、且つ図９（ｄ）に示すように検知快適度の下降が一定勾配以上となることである。表３ではｔ４＝３０（分）に設定されている。
【００６０】
つまり、本実施形態では、温度調節手段２の運転状況、検知快適度と目標快適度の比較、及び検知快適度の推移と予め設定された検知快適度の基準推移の比較に基づいてロス運転が行われたか否かが判定される。
【００６１】
一方、エコ運転の判定は、コントローラー２４によって以下の表４の条件（５）〜（８）のいずれかを一つでも満たした場合になされる。
【００６２】
【表４】
0005502619.tif 000005
【００６３】
条件（５）は、現在季節が夏であると判定され、且つ温度調節手段２が停止され、且つ送風手段４の室外空気取込運転によって検知中間部室温が所定時間ｔ５以内にＴ１４℃以上下げられたことである。なお、条件（５）及び以下の条件（６）〜（８）における季節の判定はカレンダー機能により所得した日付データに基づいて行われる。また、表４ではｔ５＝１（時間）、Ｔ１４＝３（℃）に設定されている。
【００６４】
条件（６）は、現在季節が冬であると判定され、且つ人体検知手段１２の検知情報から対象室１内に居る人の活動量が多いと判定され、且つ温度調節手段２又は床暖房手段３の少なくとも一方の設定温度がＴ１５℃以上下げられたことである。表４ではＴ１５＝２（℃）に設定されている。
【００６５】
条件（７）は、現在季節が冬であると判定され、且つ温度調節手段２が停止され、且つ送風手段４の攪拌運転により検知中間部室温がＴ１６以上上げられたことである。表４ではＴ１６＝２（℃）に設定されている。
【００６６】
条件（８）は、現在季節が冬であると判定され、且つ温度調節手段２が停止され、且つ運転初期の検知中間部室温がＴ１７℃以上で、且つ、所定時間ｔ６での検知中間部室温の低下幅がＴ１８℃以下であることである。表４ではＴ１７＝２４（℃）、ｔ６＝１（時間）、Ｔ１８＝０．５（℃）に設定されている。
【００６７】
つまり、本実施形態では、カレンダー機能により所得した日付データ、温度調節手段２、床暖房手段３、送風手段４の夫々の運転状況、及び中間部室温検知手段８ｂの検知結果に基づいてエコ運転が行われたか否かが判定される。
【００６８】
既述の制御により現在の運転状態が通常運転、ロス運転、及びエコ運転のいずれであるかが判定される。そして、快適度グラフ５６上では、通常運転と判定された時間帯にあっては地色（白色）、ロス運転と判定された時間帯にあっては赤色、エコ運転と判定された時間帯にあっては青色が夫々付されて表示される。つまり、本実施形態では、快適度グラフ５６を表示する表示部２６が、ロス運転がなされた旨を報知するロス運転報知手段と、エコ運転がなされた旨を報知するエコ運転報知手段を構成している。なお、ロス運転報知手段やエコ運転報知手段はその他の表示や音等でロス運転やエコ運転を報知するものであってもよい。
【００６９】
上記のように通常運転、ロス運転、及びエコ運転が異なる色で表示された快適度グラフ５６を見ることで、利用者は過去と現在の運転状態を容易に認識することができる。
【００７０】
また、快適度グラフ５６では、通常運転がなされた時間帯６４、ロス運転がなされた時間帯６５、及びエコ運転がなされた時間帯６６の夫々は縦線６３で仕切られる。これら縦線６３で仕切られたエリアは当該時間帯の運転履歴画面３０の夫々を切替表示するための画面切替部６７になる。
【００７１】
運転状況画面２９は、空調用機器の現在の運転状況をアイコン６９〜７３で表す画面である。この運転状況画面２９には、温度調節手段２、床暖房手段３、送風手段４、及び室内照明（図示せず）の夫々を示すアイコン６９〜７２が並べて表示される。また、運転状況画面２９には人体検知手段１２で検知した情報から対象室１内に居る人の活動量が多い場合にのみ、人を示すアイコン７３が表示される。
【００７２】
アイコン６９〜７２は、対応する空調用機器の現在の運転状況に応じてその絵柄や色調が変更される。具体的には、温度調節手段２、床暖房手段３、送風手段４、及び室内照明の夫々を示すアイコン６９〜７２は対応する機器の現在の運転の有無に応じて色調や絵柄を変化させて表示される。
【００７３】
温度調節手段２を示すアイコン６９は、暖房運転時には赤色、冷房運転時には青色で表示されて、冷房・暖房の違いが色によって区別できるようになっている。また、送風手段４を示すアイコン７１は、送風手段４が運転状態にあるとき、温度調節手段２が暖房運転されている際には赤色、冷房運転がされている時には青色で表示される。同アイコン７１は、送風手段４が運転状態にあるときに、温度調節手段２が停止されている際には図８（ａ）に示す絵柄で表示されると共に温度調節手段２が運転されている際には図８（ｃ）に示す絵柄で表示される。また、同アイコン７１は、送風手段４が現在室外空気取込運転状態にあるとき、図８（ｂ）に示す絵柄で表示される。
【００７４】
運転履歴画面３０は、空調用機器の過去の任意の運転状況を前記アイコン６９〜７３で表す画面であり、運転状況画面２９と同様に、温度調節手段２、床暖房手段３、送風手段４、室内照明、及び人を示すアイコン６９〜７３が並べて表示される。
【００７５】
運転履歴画面３０には、操作部として、当該運転履歴画面３０に表示する時間帯を変更するための変更部８３が表示される。
【００７６】
また、前記快適度グラフ画面２８、運転状況画面２９、及び運転履歴画面３０の夫々には運転の意図を説明するメッセージを表示するためのメッセージ欄６１が表示される。快適度グラフ画面２８及び運転状況画面２９の夫々のメッセージ欄６１には、連携制御運転時の検知情報等に基づいて決定される現在の運転状況を表すメッセージが表示される。また、運転履歴画面３０のメッセージ欄６１には、表示する過去の時間帯で実施された連携制御運転時の検知情報等に基づいて決定される過去の運転状況と当該過去の時間帯の時刻を表すメッセージが表示される。前記メッセージ欄には、「人に風が当たるように運転しています」、「温度を下げるために室外の空気を取り入れています」、「活発に人が動いているので、暖房を弱めています」等のメッセージが表示される。また、ロス運転やエコ運転が行われたことを示唆する、「窓やドアが開いていた可能性があります」、「暖房を切っていましたが部屋は快適な状態を保っています」等のメッセージも表示される。
【００７７】
以上説明した本実施形態の空調システム用の表示装置２５では、検知快適度の推移と目標快適度を表示する表示部２６を備えている。このため、利用者は目標快適度に対する検知快適度の推移を容易に認識することができる。また、これにより、利用者に対して、適切な空調運転がなされているか、エネルギーが無駄に消費されていないか等の不安を与えることを防止できる。また、エネルギー消費を抑えた運転を行った場合等に利用者に充分な満足感を与えることができ、利用者に対してエネルギー消費の小さい運転を行うという強い動機付けをすることができる。
【００７８】
また、本実施形態では、空調用機器がエネルギーを無駄に消費するロス運転がなされた場合にその旨を報知するロス運転報知手段を備えているため、空調用機器のロス運転を利用者に報知して利用者に注意を促すことができる。
【００７９】
また、本実施形態では、空調用機器がエネルギー消費の小さいエコ運転がなされた場合にその旨を報知するエコ運転報知手段を備えているため、空調用機器のエコ運転を利用者に報知して、利用者にエネルギー消費を抑えた運転を行うというより強い動機付けをすることができる。
【００８０】
また、本実施形態では、表示部２６がタッチ操作によって画面上で操作されることにより連携制御モードと個別操作モードを切り替える操作部（モード切替部３２）を表示するものである。このため、表示部２６を利用して、空調システムの運転モードを連携制御モード又は個別操作モードのいずれかに選択的に切り替えることができる。なお、前記モード切替部３２による運転モードの切替は、釦等の入力手段を用いて画面上でモード切替部３２を選択等することによって行われるものであっても構わない。
【００８１】
また、本実施形態では、表示部２６が複数の空調用機器の過去の任意の時間帯における運転状況を選択して表示するので、複数の空調用機器の過去の任意の時間帯における運転状況を利用者が容易に確認できる。
【００８２】
なお、本実施形態では、快適度をＰＭＶ値としたが、ＥＴ（Ｅｆｆｅｃｔｉｖｅ  Ｔｅｍｐｅｒａｔｕｒｅ：有効温度）等のその他の快適性指標を快適度として検知するものであっても構わない。また、本実施形態では設定快適度と人体検知手段１２の検知情報に基づいて目標快適度を決定したが、設定快適度を目標快適度としてもよいものとする。また、温度調節手段２は対象室１の上部を加熱するものであれば、輻射暖房パネル等のその他の温度調節手段で構成してもよい。また、送風手段４は対象室１内の天井側の空気を床側に送る機能又は床側の空気を天井側に送る機能のうちの少なくとも一の機能を有するものであればよい。また、送風手段４はパネル装置４ａに限られるものではなく、天井扇等のその他の送風手段であってもよい。
【符号の説明】
【００８３】
１  対象室
２５  表示装置
２６  表示部
３２  モード切替部
【図１】
0005502619.tif 000006
【図２】
0005502619.tif 000007
【図３】
0005502619.tif 000008
【図４】
0005502619.tif 000009
【図５】
0005502619.tif 000010
【図６】
0005502619.tif 000011
【図７】
0005502619.tif 000012
【図８】
0005502619.tif 000013
【図９】
0005502619.tif 000014